(57)【要約】      （修正有）【課題】持ち運び時等ラインを引く必要が無いときは、車輪が回転しても攪拌機が回転せず、粉落ちが防止でき、且つ楽に持ち運び可能で、攪拌機の消耗を防止できるライン引き具を提供する。【解決手段】攪拌機１５を車輪軸１２に直接取り付けず、攪拌機専用の軸１３を別途設け、両軸は互いに係合する車輪軸用歯車１６と攪拌機軸用歯車１７によって連動させている。従って、車輪軸と車輪軸用歯車の係合を解除することで、車輪軸の回転が車輪軸用歯車に伝達されず、攪拌機との連動を解除することができる。【選択図】図１
0003132706.tif 000002
【実用新案登録請求の範囲】
【請求項１】
石灰石等を収納する箱本体と、上記箱本体下部を左右方向に貫通する車輪軸と、上記車輪軸と平行に上記箱本体下部を左右方向に貫通すると攪拌機軸と、上記箱本体の左右において上記車輪軸に嵌着された一対の車輪と、
上記箱本体の内部に収納され、上記攪拌機軸と嵌着した攪拌機と、上記車輪の一方と上記箱本体との間にあって、上記車輪軸に回転自在に嵌合された車輪軸用歯車と、上記車輪軸用歯車に係合し、上記攪拌機軸に固定された攪拌機軸用歯車と、
上記車輪軸用歯車の上記箱本体側に設けられた車輪軸係合部と、上記車輪軸の直径方向に設けられ、上記車輪軸係合部を係止する車輪軸用歯車係止部と、上記車輪軸合部と上記車輪軸用歯車係止部の係合状態を解除しうる連動解除機構を有し、
上記車輪軸係合部と上記車輪軸用歯車係止部が係合状態の時は、上記車輪の回転に伴い、上記車輪軸を介して上記車輪軸用歯車が回転し、さらに上記車輪軸用歯車と上記攪拌機軸用歯車の係合を介して上記攪拌機軸に伝達され、上記車輪軸係合部と上記車輪軸用歯車係止部の係合が解除している状態の時は、上記車輪の回転が上記攪拌機軸には伝達されず、上記攪拌機が回転しないことを特徴とするライン引き具。
【請求項２】
上記車輪軸係合部１つ以上の凹部からなり、上記車輪軸用歯車係止部は前記凹部に係合する少なくとも１つ以上の凸部より成ることを特徴とするライン引き具。
【請求項３】
上記連動解除機構は上記箱本体側面と車輪軸用歯車との間に、上下動自在に設けられた
切替レバーと、上記切替レバー下端部に設けられた連動解除部と上記連動解除部を覆うカバー部材と、
上記車輪軸において上記車輪軸用歯車と上記車輪間に捲着され、常時、上記車輪軸用歯車を本体方向に付勢するスプリングとを有し、
上記切替レバーを上部位置から下部位置に押し下げると、上記連動解除部が下降することにより、上記車輪軸用歯車が上記スプリングの付勢力に抗して、車輪側に押されることで、上記車輪軸用歯車係止部と上記車輪軸係合部の係合が解除され、
上記板状レバーを下部位置から上部位置に押し上げると、上記スプリングの付勢力により、上記車輪軸用歯車が再び上記車輪軸に対して本体側に押し戻され、上記車輪軸用歯車係止部と上記車輪軸係合部が係合状態となることを特徴とする請求項１又は２に記載のライン引き具。
【請求項４】
上記連動解除部は、下方に向けて角度が小さなテーパー状の側面を有する板状体により形成されていることを特徴とする、請求項１乃至３の何れか１項に記載のライン引き具。
【請求項５】
上記連動解除部は、上記車輪軸を前後に挟み、互いに対向する一対の上記板状体で形成されていることを特徴とする、請求項１乃至４のいずれか１項記載のライン引き具。
【考案の詳細な説明】
【技術分野】
【０００１】
本考案は、競技を行うグランド等にライン（白線）を引くためのライン引き具に関する。
【背景技術】
【０００２】
競技を行うグランド等にライン（白線）を引く為のライン引き具は、石灰石等を収納する本体と、本体下部を左右に貫通した車輪軸と、上記車輪軸に嵌着した車輪と、上記箱本体内部において、上記車輪軸に嵌着したライン用の石灰石等を攪拌する攪拌機と、上記箱本体底部に設けられ、石灰石等が落下するための底孔部から成り、上記車輪が回転することで、上記車輪軸を介して、上記箱内部にある上記攪拌機が連動回転し、上記底孔部から石灰石等が落下することでラインが引かれる構成が一般的である。
【０００３】
なお、持ち運び時等、ラインを引く必要がない場合は、上記の底孔部をシャッター等により塞ぐことで、粉落ちを防止する方法が一般的である。
【０００４】
しかし、従来品においては、上記車輪が回転することで、上記車輪軸を介して、上記箱内部にある上記攪拌機が連動回転するため、上記シャッター等により上記底孔部を塞いでも、上記攪拌機が回転により、絶えず粉を排出するため、微量の粉が漏れて地面に落ちてしまうという問題点があった。
【０００５】
また、必要時以外も攪拌機が回転するため、攪拌機の消耗も激しかった。
【０００６】
本問題を解決するために、四輪のライン引き具の場合は駆動側の車輪を持ち上げて移動したり、二輪のライン引き具の場合は別途補助用車輪を設け、駆動車輪を回転させずに移動する等の方法をとっていたが、持ち上げに際しては重く、また取り扱いも面倒であった。
【考案の開示】
【考案が解決しようとする課題】
【０００７】
そこで本考案の課題は、持ち運び時等、ラインを引く必要が無いときは、車輪の回転に攪拌機が連動せず、粉落ちが防止可能なライン引き具を提供することにある。
【０００８】
また、本考案の課題として、持ち運び時の操作が容易で且つ容易に持ち運び可能なライン引き具を提供することがある。
【０００９】
更に本考案の課題として、攪拌機の消耗を防止可能なライン引き具を提供することがある。
【課題を解決するための手段】
【００１０】
上記課題を解決するために、請求項１に記載された考案に係るライン引き具は、石灰石等を収納する箱本体と、上記箱本体下部を左右方向に貫通する車輪軸と、上記車輪軸と平行に上記箱本体下部を左右方向に貫通すると攪拌機軸と、上記箱本体の左右において上記車輪軸に嵌着された一対の車輪と、上記箱本体の内部に収納され、上記攪拌機軸と嵌着した攪拌機と、上記車輪の一方と上記箱本体との間にあって、上記車輪軸に回転自在に嵌合された車輪軸用歯車と、上記車輪軸用歯車に係合し、上記攪拌機軸に固定された攪拌機軸用歯車と、上記車輪軸用歯車の上記箱本体側に設けられた車輪軸係合部と、上記車輪軸の直径方向に設けられ、上記車輪軸係合部を係止する車輪軸用歯車係止部と、上記車輪軸合部と上記車輪軸用歯車係止部の係合状態を解除しうる連動解除機構を有し、上記車輪軸係合部と上記車輪軸用歯車係止部が係合状態の時は、上記車輪の回転に伴い、上記車輪軸を介して上記車輪軸用歯車が回転し、さらに上記車輪軸用歯車と上記攪拌機軸用歯車の係合を介して上記攪拌機軸に伝達され、上記車輪軸係合部と上記車輪軸用歯車係止部の係合が解除している状態の時は、上記車輪の回転が上記攪拌機軸には伝達されず、上記攪拌機が回転しないことを特徴とする。
【００１１】
すなわち、本考案に係るライン引き具にあっては、攪拌機を車輪軸に直接取り付けず、攪拌機専用の軸を別途設け、両軸は互いに係合する車輪軸用歯車と攪拌機軸用歯車によって連動させている。
従って、車輪軸と車輪軸用歯車の係合を解除することで、車輪軸の回転が車輪軸用歯車に伝達されず、攪拌機との連動を解除することができる。
【００１２】
また、請求項２記載の考案に係るライン引き具においては、上記車輪軸係合部１つ以上の凹部からなり、上記車輪軸用歯車係止部は前記凹部に係合する少なくとも１つ以上の凸部より成ることを特徴とする。
【００１３】
すなわち、上記車輪軸と上記車輪軸用歯車は、上記凹部と上記凸部が係合状態のときのみ連動回転し、係合解除時は、上記車輪軸の回転が上記車輪軸用歯車に伝達されないようにすることができる。
【００１４】
また、請求項３記載の考案に係るライン引き具においては、上記連動解除機構は上記箱本体側面と車輪軸用歯車との間に、上下動自在に設けられた切替レバーと、上記切替レバー下端部に設けられた連動解除部と上記連動解除部を覆うカバー部材と、上記車輪軸において上記車輪軸用歯車と上記車輪の間に捲着され、常時、上記車輪軸用歯車を本体方向に付勢するスプリングとを有し、上記切替レバーを上部位置から下部位置に押し下げると、上記連動解除部が下降することにより、上記車輪軸用歯車が上記スプリングの付勢力に抗して、車輪側に押されることで、上記車輪軸用歯車係止部と上記車輪軸係合部の係合が解除され、上記板状レバーを下部位置から上部位置に押し上げると、上記スプリングの付勢力により、上記車輪軸用歯車が再び上記車輪軸に対して本体側に押し戻され、上記車輪軸用歯車係止部と上記車輪軸係合部が係合状態となることを特徴とする
【００１５】
すなわち、本考案に係るライン引き具にあっては、切替レバーの上下により車輪軸と車輪軸用歯車の係合／係合解除の切替を行うことができる。
【００１６】
また、請求項４記載の考案に係るライン引き具においては、上記連動解除部は、下方に向けて角度が小さなテーパー状の側面を有する板状体により形成されていることを特徴とする。
【００１７】
すなわち、本考案のライン引き具にあっては、テーパー上の側面に沿って車輪軸用歯車が傾斜的に車輪側に押されるため、切替操作に要する力を小さくすることができる。
【００１８】
また、請求項５記載の考案に係るライン引き具においては、上記連動解除部は、上記車輪軸を前後に挟み、互いに対向する一対の上記板状体で形成されていることを特徴とする。
【００１９】
すなわち、本考案のライン引き具にあっては、上記板状体の側面により、車輪軸用歯車が軸を挟んで前後から同時に均等な力で傾斜的に車輪側へ押されるため、切替操作に要する力を小さくすることができる。
【考案の効果】
【００２０】
請求項１記載の考案に係るライン引き具は、石灰石等を収納する箱本体と、上記箱本体下部を左右方向に貫通する車輪軸と、上記車輪軸と平行に上記箱本体下部を左右方向に貫通すると攪拌機軸と、上記箱本体の左右において上記車輪軸に嵌着された一対の車輪と、上記箱本体の内部に収納され、上記攪拌機軸と嵌着した攪拌機と、上記車輪の一方と上記箱本体との間にあって、上記車輪軸に回転自在に嵌合された車輪軸用歯車と、上記車輪軸用歯車に係合し、上記攪拌機軸に固定された攪拌機軸用歯車と、上記車輪軸用歯車の上記箱本体側に設けられた車輪軸係合部と、上記車輪軸の直径方向に設けられ、上記車輪軸係合部を係止する車輪軸用歯車係止部と、上記車輪軸合部と上記車輪軸用歯車係止部の係合状態を解除しうる連動解除機構を有し、上記車輪軸係合部と上記車輪軸用歯車係止部が係合状態の時は、上記車輪の回転に伴い、上記車輪軸を介して上記車輪軸用歯車が回転し、さらに上記車輪軸用歯車と上記攪拌機軸用歯車の係合を介して上記攪拌機軸に伝達され、上記車輪軸係合部と上記車輪軸用歯車係止部の係合が解除している状態の時は、上記車輪の回転が上記攪拌機軸には伝達されず、上記攪拌機が回転しないことから、車輪軸と攪拌機の連動を解除することによって、持ち運び時等に攪拌機が回転しないため、不要な粉が排出されず、地面への粉漏れを防止できる。
また、攪拌機の回転しないため、車輪回転の抵抗が少なく、持ち運びに大きな労力を要さない。
さらに、必要時のみ攪拌機を回転させることで、攪拌機の消耗を防ぎ、製品寿命を延ばすことができる。
【００２１】
請求項２記載の考案に係るライン引き具は、上記車輪軸係合部１つ以上の凹部からなり、上記車輪軸用歯車係止部は前記凹部に係合する少なくとも１つ以上の凸部より成るため、
上記車輪軸係合部が車輪側に移動され、上記凸部が上記凹部より外れることで、上記車輪軸用歯車係止部との係合を解消することができる。
これにより、持ち運び時等に攪拌機が回転しないため、不要な粉が排出されず、地面への粉漏れを防止できる。また、攪拌機の回転しないため、車輪回転の抵抗が少なく、持ち運びに大きな労力を要さない。
さらに、必要時のみ攪拌機を回転させることで、攪拌機の消耗を防ぎ、製品寿命を延ばすことができる。
【００２２】
請求項３記載の考案に係るライン引き具は、上記連動解除機構は本体側面と車輪軸用歯車との間に、上下動自在に設けられた切替レバーと、上記切替レバー下端部に設けられた連動解除部と上記連動解除部を覆うカバー部材と、上記車輪軸において上記車輪軸用歯車と上記車輪間に捲着され、常時、上記車輪軸用歯車を本体方向に付勢するスプリングとを有し、上記切替レバーを上部位置から下部位置に押し下げると、上記連動解除部が下降することにより、上記車輪軸用歯車が上記スプリングの付勢力に抗して、車輪側に押されることで、上記車輪軸用歯車係止部と上記車輪軸係合部の係合が解除され、上記板状レバーを下部位置から上部位置に押し上げると、上記スプリングの付勢力により、上記車輪軸用歯車が再び上記車輪軸に対して本体側に押し戻され、上記車輪軸用歯車係止部と上記車輪軸係合部が係合状態となるため、持ち運び時等必要に応じて車輪と攪拌機の連動／連動解除を簡易な操作で行うことができる。
また、持ち運び時等に攪拌機が回転しないため、不要な粉が排出されず、地面への粉漏れを防止できる。
また、攪拌機が回転しないため、車輪回転の抵抗が少なく、持ち運びに大きな労力を要さない。
さらに、必要時以外に攪拌機を回転させないことで、攪拌機の消耗を防ぎ、製品寿命を延ばすことができる。
【００２３】
請求項４記載の考案に係るライン引き具は、上記連動解除部は、下方に向けて角度が小さなテーパー状の側面を有する板状体により形成されているため、切替レバー操作時に上記車輪軸用歯車にかかる力が傾斜的に変化する。従って、より小さな力で且つ容易に切替操作を行うことができる。
【００２４】
請求項５記載の考案に係るライン引き具は、上記連動解除部は、上記車輪軸を前後に挟み、互いに対向する一対の上記板状体で形成されているため、上記車輪軸用歯車にかかる力が傾斜的に変化し、且つ上記車輪軸用歯車が本体側から前記車輪軸を挟んで前後から均等な力で押される。
従って上記車輪軸用歯車に加わる力が偏らず、より小さな力で、且つ容易に切替操作を行うことができる。
【考案を実施するための最良の形態】
【００２５】
以下添付図面に記載された本考案の実施の形態に基づき、本考案を説明する。
【００２６】
本実施の形態に係るライン引き具１０は、図１乃至４に示すとおり、石灰石等を収納する箱本体１１と、上記箱本体１１の下部を左右方向に貫通する車輪軸１２と、上記車輪軸１２と平行に上記箱本体１１の下部を左右方向に貫通すると攪拌機軸１３と、上記箱本体１１の左右において上記車輪軸１２に嵌着された一対の車輪１４と、上記箱本体１１の内部に収納され、上記攪拌機軸１３と嵌着した攪拌機１５と、上記車輪１４の一方と上記箱本体１１との間にあって、上記車輪軸１２に回転自在に嵌合された車輪軸用歯車１６と、上記車輪軸用歯車１６に係合し、上記攪拌機軸１３に固定された攪拌機軸用歯車１７と、図４乃至７に示すとおり、上記車輪軸用歯車１７の上記箱本体１１側に設けられ凹部を有する車輪軸係合部１８と、上記車輪軸１２の直径方向に設けられ、上記車輪軸係合部１８の凹部に係合する凸部を有する車輪軸用歯車係止部１９と、上記車輪軸係合部１８と車輪軸用歯車係止部１９の係合状態を解除しうる連動解除機構２０が夫々設けられている。
【００２７】
また、上記連動解除機構２０は図２に示すとおり、上記箱本体１１の側面と上記車輪軸用歯車１６との間に、上下動自在に設けられた切替レバー２１と上記切替レバー２１の下端部に設けられた連動解除部２２と、上記連動解除部２２を覆うカバー部材２５と、
上記車輪軸１２の上記車輪軸用歯車１６と上記車輪間１４に捲着され、常時、上記車輪
軸用歯車１６を箱本体方向に付勢するスプリング２３が夫々設けられている。
【００２８】
また、図４、６、７に示すとおり、上記連動解除部２２は、下方に向けて角度が小さなテーパー状の側面を有する板状体２４から構成されている。
【００２９】
また、図８に示すとおり、上記板状体２４は、上記車輪軸１２を前後に挟み、互いに対向する一対で構成されている。  
【実施例】
【００３０】
以下に、本実施例について詳細を説明する。
まず、図１に示すように、ライン引き具１０は箱本体１１より箱型に形成され、その内部に石灰石等の白粉を収納し、図３に示すとおり、内部には攪拌機用軸１３に嵌着され、回転により石灰石等を攪拌する攪拌機１５が設けられている。
【００３１】
上記箱本体１１の下部の前後には、図１、２に示すとおり上記箱本体１１の内部を左右に貫通する２本の車輪軸１２が設けられ、その左右両端には夫々車輪１４が嵌着されている。
【００３２】
図２に示すとおり、上記車輪軸１２のうち、後部に位置する車輪軸の左右何れか一方において、上記車輪１４と上記箱本体１１の間に車輪軸用歯車１６が回転自在に嵌合されており、さらに図３、４に示すとおり、上記車輪軸用歯車１３と常に係合状態を呈する攪拌機軸用歯車１７が上記攪拌機用軸１３に固定されている。
【００３３】
また、図５に示すとおり、上記車輪軸１３と上記車輪軸用歯車１６は、上記車輪軸用歯車１６の上記箱本体１１側に設けられ凹部を有する車輪軸係合部１８と、上記車輪軸１３の直径方向に設けられ、上記車輪軸係合部１８の凹部と合致する凸部を有する車輪軸用歯車係止部１９が互いに係合することで連動する構成となっている。
【００３４】
また、図４に示すとおり、上記車輪軸用歯車１６と上記箱本体１１の間には、上記車輪軸用歯車１６と上記車輪軸１２との係合を解除し、上記車輪軸１３と上記車輪軸用歯車１６の連動を解除しうる連動解除機構２０が設けられている。
【００３５】
上記連動解除機構２０は、図２、８に示すとおり操作を行うための切替レバー２１と、その下端部に取り付けられ、カバー部材２５に覆われた、互いに対向するテーパー状の板状体２４で構成されている連動解除部２２と、上記車輪軸１２の上記車輪軸用歯車１６と上記車輪間１４に捲着され、常時、上記車輪軸用歯車１６を箱本体方向に付勢するスプリング２３から成っている。
【００３６】
以下、本実施例の作用について説明する。
図６に示すとおり、ラインを引く場合は、上記スプリング２３により上記車輪軸用歯車１６が、常に箱本体側１１に付勢しているため、上記車輪軸１２と上記車輪軸用歯車１６の係合が外れることはない。
従って図３、４に示すとおり、上記車輪１４の回転は上記車輪軸１２、上記車輪軸用歯車１６、上記攪拌機用歯車１７、上記攪拌機軸１３を順次介し、上記攪拌機１５に伝達され、上記攪拌機１５が回転し、内部の石灰石等を攪拌する。
攪拌された石灰石等は、上記箱本体１１の底部に設けられた孔部（図示せず）から地面に落ち、ラインが描画される。
【００３７】
持ち運び時等、一時的にライン描画を停止させる場合は、図２に示すとおり、上記箱本体１１の側面に設けられた切替レバー２１を下方に移動させることにより、上記連動解除機構２０の上記連動解除部２２も下方に移動する。
【００３８】
上記に伴い、図７に示すとおり上記連動解除部のテーパー状の板状体２４が下方に移動し、テーパー状の形状に沿って、上記車輪軸用歯車１６が車輪側に移動し、上記車輪軸用歯車１６の上記箱本体１１側の上記車輪軸係合部１８の凹部と上記車輪軸用歯車係止部１９の凸部の係合が解除される。
これにより、上記車輪１４から上記攪拌機１５までの一連の連動が解除され、上記車輪１２に上記攪拌機１５は連動しなくなり、上記箱本体１１の内部に収納した石灰石等の排出が停止される。
【００３９】
以上により、上記車輪１４と上記攪拌機１５の連動解除時は、上記攪拌機１５が回転しないことで、連動時と比して上記車輪１４の回転抵抗が小さくなり、持ち運びが容易となる。
また、上記攪拌機１５が回転しないことから、微量の粉漏れも防止することができる。
さらに、必要時のみ上記攪拌機１５が回転するため、攪拌機の消耗も防止できる。
【００４０】
なお、本実施例におけるライン引き具は、４輪構成のものを一例とし説明したが、本考案は、２輪構成のライン引き具であっても、考案に係る構成は同一であり、かつその作用、効果も同一である。
【産業上の利用可能性】
【００４１】
本製品は、競技を行うグランド等にライン（白線）を引くためのライン引き具に適用可能である。
【図面の簡単な説明】
【００４２】
【図１】本実施の形態に係るライン引き具の側面図である。
【図２】本実施の形態に係るライン引き具の背面図である。
【図３】本実施の形態に係るライン引き具の後部平面図である。
【図４】図３の車輪軸用歯車と攪拌機軸用歯車の拡大図である。
【図５】図２のＡ−Ａ断面図である。
【図６】車輪軸用歯車と車輪軸の係合時背面図である。
【図７】車輪軸用歯車と車輪軸の係合解除時背面図である。
【図８】連動解除機構における、カバー部材内の連動解除部と切替レバー構造の斜視である。
【符号の説明】
【００４３】
１０  本考案に係るライン引き具
１１  箱本体
１２  車輪軸
１３  攪拌機軸
１４  車輪
１５  攪拌機
１６  車輪軸用歯車
１７  攪拌機軸用歯車
１８  車輪軸係合部
１９  車輪軸用歯車係止部
２０  連動解除機構部
２１  切替レバー
２２  連動解除部
２３  スプリング
２４  テーパー状の板状体
２５  カバー部材
【図１】
0003132706.tif 000003
【図２】
0003132706.tif 000004
【図３】
0003132706.tif 000005
【図４】
0003132706.tif 000006
【図５】
0003132706.tif 000007
【図６】
0003132706.tif 000008
【図７】
0003132706.tif 000009
【図８】
0003132706.tif 000010
【手続補正書】
【提出日】平成19年4月2日(2007.4.2)
【手続補正１】
【補正対象書類名】実用新案登録請求の範囲
【補正対象項目名】請求項２
【補正方法】変更
【補正の内容】
【請求項２】
上記車輪軸係合部は１つ以上の凹部からなり、上記車輪軸用歯車係止部は前記凹部に係合する少なくとも１つ以上の凸部より成ることを特徴とする請求項１に記載のライン引き具。
【手続補正２】
【補正対象書類名】実用新案登録請求の範囲
【補正対象項目名】請求項４
【補正方法】変更
【補正の内容】
【請求項４】
上記連動解除部は、下方に向けて角度が小さなテーパー状の側面を有する板状体により形成されていることを特徴とする、請求項３に記載のライン引き具。
【手続補正３】
【補正対象書類名】実用新案登録請求の範囲
【補正対象項目名】請求項５
【補正方法】変更
【補正の内容】
【請求項５】
上記連動解除部は、上記車輪軸を前後に挟み、互いに対向する一対の上記板状体で形成されていることを特徴とする、請求項４に記載のライン引き具。
【手続補正４】
【補正対象書類名】明細書
【補正対象項目名】００１２
【補正方法】変更
【補正の内容】
【００１２】
また、請求項２記載の考案に係るライン引き具においては、上記車輪軸係合部は１つ以上の凹部からなり、上記車輪軸用歯車係止部は前記凹部に係合する少なくとも１つ以上の凸部より成ることを特徴とする。
【手続補正５】
【補正対象書類名】明細書
【補正対象項目名】００２１
【補正方法】変更
【補正の内容】
【００２１】
請求項２記載の考案に係るライン引き具は、上記車輪軸係合部は１つ以上の凹部からなり、上記車輪軸用歯車係止部は前記凹部に係合する少なくとも１つ以上の凸部より成るため、上記車輪軸係合部が車輪側に移動され、上記凸部が上記凹部より外れることで、上記車輪軸用歯車係止部との係合を解消することができる。
これにより、持ち運び時等に攪拌機が回転しないため、不要な粉が排出されず、地面への粉漏れを防止できる。また、攪拌機の回転しないため、車輪回転の抵抗が少なく、持ち運びに大きな労力を要さない。
さらに、必要時のみ攪拌機を回転させることで、攪拌機の消耗を防ぎ、製品寿命を延ばすことができる。